(57)【要約】      （修正有）【課題】同じ表面性で坪量である用紙がサイズごとに登録されている場合、そのサイズ分の用紙のそれぞれに対して調整値の登録作業を同時に設定する画像形成装置を提供する。【解決手段】画像形成装置は、給紙段ボタンが押下されると給紙段の画面のトップ画面７０１を表示し、用紙情報表示領域７０２に現在選択されている用紙の設定情報を表示するとともに、用紙リスト表示領域７０３に印刷制御装置と画像形成装置とが管理している用紙情報の一覧と現在表示されている用紙情報を表示する。用紙情報表示領域内の調整値の設定をまとめて表示する領域７１５において各種調整値を入力でき、用紙リスト表示領域において、複数種の用紙を同時に選択した状態で用紙リスト更新ボタン７０５を押下すると、それら選択された複数種の用紙の全てに同じ各種調整値が設定される。割当ボタン７０４を押下すると、用紙リスト表示領域で選択された用紙を新たに給紙段に割り当てる。【選択図】図７
2018109833.tif 000002
【特許請求の範囲】
【請求項１】
用紙に画像を形成する画像形成装置であって、
表示手段と、
用紙を使用して画像を形成する上で前記画像形成装置の特性が影響する調整の設定値を設定する設定手段と、
前記設定手段により前記設定値を設定した後、前記表示手段に複数種の用紙の一覧を表示する用紙リストを表示させ、当該用紙リストから選択された少なくとも１つの用紙に対して、前記設定手段により設定された設定値を反映させる制御手段と、
を有することを特徴とする画像形成装置。
【請求項２】
前記設定手段は、前記画像形成装置の特性が影響する調整の項目の一覧を前記表示手段に表示させ、更に、当該一覧から選択された調整の項目の設定値を設定する設定画面を前記表示手段に表示させ、当該設定画面を介して入力される値を設定することを特徴とする請求項１に記載の画像形成装置。
【請求項３】
前記制御手段は、前記設定手段により設定された前記設定値を設定するための用紙が特定されているときは、当該用紙に対して前記設定手段により設定された設定値を反映させることを特徴とする請求項１に記載の画像形成装置。
【請求項４】
複数の給紙段を更に有し、
前記制御手段は、前記複数の給紙段のそれぞれを示す給紙段ボタンを前記表示手段に表示させ、表示された前記給紙段ボタンに対応する給紙部に設定された用紙の属性と、当該用紙に対して設定されている前記調整の設定値の一覧を前記表示手段に表示させることを特徴とする請求項１に記載の画像形成装置。
【請求項５】
前記制御手段は更に、前記用紙リストから選択された少なくとも第１の用紙の用紙情報に近いか、或いは同じ用紙情報を有する第２の用紙を選択し、当該選択された第１及び第２の用紙に対して前記設定手段により設定された設定値を反映させることを特徴とする請求項１に記載の画像形成装置。
【請求項６】
前記第１の用紙の用紙情報に近い用紙情報を有する第２の用紙とは、前記第１の用紙の用紙情報とテンプレートが共通である用紙情報を有する用紙であることを特徴とする請求項５に記載の画像形成装置。
【請求項７】
前記制御手段は更に、前記設定手段により設定される前記画像形成装置の特性が影響する調整に該当しない用紙を前記用紙リストから除外して前記表示手段に表示させることを特徴とする請求項１に記載の画像形成装置。
【請求項８】
前記制御手段により、前記用紙リストから選択された少なくとも第１の用紙の用紙情報に近い第２の用紙を選択させるか、或いは同じ用紙情報を有する第２の用紙を選択させるかを選択させる選択手段を、更に有することを特徴とする請求項５に記載の画像形成装置。
【請求項９】
前記設定手段により設定された調整の設定値による影響を確認するためのテストプリントを指示する指示手段を更に有することを特徴とする請求項１乃至８のいずれか１項に記載の画像形成装置。
【請求項１０】
前記テストプリントに際して、当該テストプリントで給紙する給紙段をユーザに選択させる給紙段選択手段を更に有することを特徴とする請求項９に記載の画像形成装置。
【請求項１１】
前記テストプリントで使用した用紙の用紙情報を記憶する記憶手段を更に有し、
前記制御手段は更に、前記記憶手段に記憶された用紙情報と同じ用紙情報を有する用紙の用紙リストを前記表示手段に表示させることを特徴とする請求項９又は１０に記載の画像形成装置。
【請求項１２】
用紙に画像を形成する画像形成装置に画像データを送信して画像を形成させる印刷制御装置であって、
表示手段と、
用紙を使用して画像を形成する上で前記画像形成装置の特性が影響する調整の設定値を設定する設定手段と、
前記設定手段により前記設定値を設定した後、前記表示手段に複数種の用紙の一覧を表示する用紙リストを表示させ、当該用紙リストから選択された少なくとも１つの用紙に対して、前記設定手段により設定された設定値を反映させる制御手段と、
前記用紙リストから選択された少なくとも１つの用紙に対して設定された前記設定値を前記画像形成装置に送信する送信手段と、
を有することを特徴とする印刷制御装置。
【請求項１３】
表示部を有し、用紙に画像を形成する画像形成装置を制御する制御方法であって、
用紙を使用して画像を形成する上で前記画像形成装置の特性が影響する調整の設定値を設定する設定工程と、
前記設定工程で前記設定値を設定した後、前記表示部に複数種の用紙の一覧を表示する用紙リストを表示させる表示工程と、
前記表示工程で表示された前記用紙リストから選択された少なくとも１つの用紙に対して、前記設定工程で設定された設定値を反映させる制御工程と、
を有することを特徴とする画像形成装置の制御方法。
【請求項１４】
コンピュータを、請求項１乃至１１のいずれか１項に係る画像形成装置の表示手段を除く各手段として機能させるためのプログラム。
【発明の詳細な説明】
【技術分野】
【０００１】
本発明は、印刷制御装置、画像形成装置とその制御方法、及びプログラムに関する。
【背景技術】
【０００２】
ディジタル複合機を使用して印刷する際、その印刷に使用する用紙に色々な設定をすることができる。例えば、用紙の名称、坪量、表面性などの用紙ごとの属性に応じた設定や、用紙に印刷する上でディジタル複合機の特性が影響する設定（例えば、用紙に転写する際の電圧値）等を設定できる。ディジタル複合機を使用するオペレータは、これらの設定値を最適な値にして印刷させることにより、そのオペレータが所望する印刷結果の印刷物を得ることができる。そのため、これら設定値を設定するための操作は、所望の印刷物を得るために必須なものとなり、この操作性を高める仕組みが考えられている。
【０００３】
特許文献１には、画像の位置合わせを調整した後、この調整が正しく行われているかを確認するためにテストプリントを実施する際、その調整作業に従って、自動的に給紙トレイを選択することが記載されている。
【先行技術文献】
【特許文献】
【０００４】
【特許文献１】特開平１１−２１２４２４号公報
【発明の概要】
【発明が解決しようとする課題】
【０００５】
しかしながら上記従来技術では、調整操作を実施した後のテストプリントにおける操作性が向上しているが、そもそも実施した調整の結果である調整値を用紙情報に反映させる際に、複数種の用紙に対して反映させることが考慮されていない。上記従来技術では、まず用紙を選択し、次に画像の位置合わせを調整してテストプリントを実施し、選択された給紙トレイから給紙された用紙にこの調整値を反映させている。この処理では、複数種の用紙に同様の調整を行いたい場合、調整したい用紙の種類の数だけ調整値を設定するための操作を行う必要があり、ユーザが操作しなければならい数が増えて利便性が損なわれる。
【０００６】
複数種の用紙に同様の設定を行いたい場合として、例えば二次転写電圧の調整を例に説明する。二次転写電圧の調整は、トナー像を転写ベルトから用紙に転写する際の電圧を調整する機能である。この調整により、用紙の坪量や表面性により適切な値を設定することができ、ユーザが所望する成果物を得ることができる。よって、同じ表面性で坪量である用紙がサイズごとに登録されている場合、このサイズ分だけ登録作業を繰り返す必要がある。具体的には、例えば同じ表面性で坪量である用紙を、Ａ４、Ａ３、Ｂ４、Ｂ５の４つのサイズで登録する場合は、サイズごとに、合計４回の調整値を設定する必要があった。この結果、ユーザの利便性が損なわれ、複合機を使用して生産性を向上できないという課題があった。
【０００７】
本発明の目的は、上記従来技術の課題を解決することにある。
【０００８】
本発明の目的は、複数種の用紙に対して、画像形成に関する調整値を同時に設定できる技術を提供することにある。
【課題を解決するための手段】
【０００９】
上記目的を達成するために本発明の一態様に係る画像形成装置は以下のような構成を備える。即ち、
用紙に画像を形成する画像形成装置であって、
表示手段と、
用紙を使用して画像を形成する上で前記画像形成装置の特性が影響する調整の設定値を設定する設定手段と、
前記設定手段により前記設定値を設定した後、前記表示手段に複数種の用紙の一覧を表示する用紙リストを表示させ、当該用紙リストから選択された少なくとも１つの用紙に対して、前記設定手段により設定された設定値を反映させる制御手段と、を有することを特徴とする。
【発明の効果】
【００１０】
本発明によれば、複数種の用紙に対して、画像形成に関する調整値を同時に設定できるという効果がある。
【００１１】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１２】
添付図面は明細書に含まれ、その一部を構成し、本発明の実施形態を示し、その記述と共に本発明の原理を説明するために用いられる。
【図１】本発明の実施形態１に係る印刷システムの全体構成を説明する図。
【図２】実施形態１に係る画像形成装置のハードウェア構成を説明するブロック図。
【図３】実施形態１に係る印刷制御装置のハードウェア構成を説明するブロック図。
【図４】実施形態１に係る印刷制御装置上で動作する用紙管理アプリケーションにより表示される画面例を示す図。
【図５】実施形態１に係る印刷制御装置が図４に示す用紙管理アプリケーションのトップ画面を表示するときの処理を説明するフローチャート。
【図６】図５に示す印刷制御装置の動作に応じて、実施形態１に係る画像形成装置が実行する処理を説明するフローチャート。
【図７】実施形態１に係る印刷制御装置が表示する給紙段１の用紙設定画面の一例を示す図。
【図８】実施形態１に係る印刷制御装置により表示される二次転写電圧の調整画面の一例を示す図。
【図９】実施形態１に係る印刷制御装置により表示されるテストプリント用の給紙段選択画面の一例を示す図。
【図１０】実施形態１に係る印刷制御装置の処理を説明するフローチャート。
【図１１】実施形態１に係る印刷制御装置が表示する用紙リスト画面の一例を示す図。
【図１２】実施形態２に係る印刷制御装置による図１０のＳ１００７〜Ｓ１００９の表示処理のタイの例を説明するフローチャート。
【図１３】実施形態２に係る印刷制御装置が表示する用紙リスト画面の一例を示す図。
【図１４】実施形態３に係る印刷制御装置による図１０のＳ１００７〜Ｓ１００９の処理を説明するフローチャート。
【図１５】実施形態３に係る印刷制御装置が表示する用紙リスト画面の一例を示す図。
【図１６】実施形態４に係る印刷制御装置における、図１０のＳ１００３以降の処理を説明するフローチャート。
【図１７】実施形態４に係る印刷制御装置により表示される光沢性／黒品位の調整画面の一例を示す図。
【図１８】実施形態４に係る印刷制御装置により表示される図１３（Ａ）の用紙リストを光沢性／黒品位の調整を行って、絞り込み表示を行った時の画面例を示す図。
【図１９】実施形態５に係る印刷制御装置による図１０のＳ１００３からＳ１００７までの処理を説明するフローチャート。
【図２０】実施形態５に係る印刷制御装置による図１０のＳ１００４以降の処理を説明するフローチャート。
【図２１】実施形態６に係る印刷制御装置により表示される設定画面の一例を示す図。
【発明を実施するための形態】
【００１３】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１４】
［実施形態１］
図１は、本発明の実施形態１に係る印刷システム１００の全体構成を説明する図である。
【００１５】
この印刷システム１００は、画像形成装置１０１と、印刷制御装置１０２とを備えている。そして、この印刷システム１００は、クライアントコンピュータ１０３と通信可能に接続されている。クライアントコンピュータ１０３と印刷制御装置１０２とは、イーサネット（登録商標）ケーブル１０９を使用してＬｏｃａｌ Ａｒｅａ Ｎｅｔｗｏｒｋ（ＬＡＮ）１１０を介して通信可能に接続されている。また印刷制御装置１０２と画像形成装置１０１とは、画像ビデオケーブル１０７及び制御ケーブル１０８を介して接続されている。実施形態１では、画像形成装置１０１は、ＬＡＮ１１０に直接接続されておらず、印刷制御装置１０２を介してクライアントコンピュータ１０３と通信する。尚、画像形成装置１０１は直接ＬＡＮ１１０に接続されても良い。つまり画像形成装置１０１は、直接、クライアントコンピュータ１０３と通信可能に接続されていても良い。クライアントコンピュータ１０３は、アプリケーションを起動させて印刷システム１００に印刷指示などを行う。印刷制御装置１０２は、画像形成装置１０１と連携して画像処理を行う。
【００１６】
画像形成装置１０１は、例えば印刷機能、スキャン機能、ファクシミリ機能などの各種機能を有する複合機である。この画像形成装置１００は、クライアントコンピュータ１０３や印刷制御装置１０２から受け取った画像データに対する画像処理を行うだけでなく、スキャナ部１０４で原稿を読み取って得られた画像データを印刷したり、共有フォルダに送信することができる。スキャナ部１０４で原稿を読み取る際には、操作部１０５を介してユーザから各種指示を受け付ける。また操作部１０５の表示部は、スキャナ部１０４のスキャン状態などの各種情報を表示する。排紙部１０６は、画像が印刷された用紙を受け取って排紙する。
【００１７】
印刷制御装置１０２の表示部１１１は、印刷制御装置１０２における情報を表示する。ユーザは印刷制御装置１０２の操作ボタン部１１２を操作して、表示部１１１に表示されている情報の操作を行う。表示部１１１に表示される情報は、印刷制御装置１０２を操作する上で、最低限必要となる情報（電源操作やＩＰアドレスの確認等）を表示する目的で使用される。印刷制御装置１０２の外部表示装置１１３は、液晶モニタ等の表示装置である。また印刷制御装置１０２は、ユーザインターフェースとして、キーボード１１４やポインティングデバイス１１５を接続している。
【００１８】
実施形態１では、印刷制御装置１０２と画像形成装置１０１とをそれぞれ別システムとして印刷システム１００を説明するが、印刷制御装置１０２の機能を画像形成装置１０１の内部に包含し、印刷制制御装置１０２を物理的に配置しなくてもよい。また表示装置１１３がタッチパネル機能を有して、ポインティングデバイス１１５の機能を兼ねている構成でも良い。
【００１９】
図２は、実施形態１に係る画像形成装置１０１のハードウェア構成を説明するブロック図である。
【００２０】
ＣＰＵ２０１は、ＲＯＭ２０３に記憶されているブートプログラムを実行して外部記憶装置２１１に記憶された制御プログラムをＲＡＭ２０２に展開し、それを実行することにより、システムバス２０４に接続される各デバイスを総括的に制御する。また印刷インターフェース２０７を介して接続される印刷部（プリンタエンジン）２１０に印刷情報としての画像信号を出力したり、読取インターフェース２１２を介して接続されるスキャナ部１０４から入力される画像信号を受け取る。またＣＰＵ２０１はＬＡＮコントローラ２０６を介して印刷制御装置１０２と通信を行うことができる。ＲＡＭ２０２は、主としてＣＰＵ２０１の主メモリ、ワークエリア等として機能する。ハードディスク（ＨＤＤ）、ＩＣカード等の外部記憶装置２１１は、ディスクコントローラ（ＤＫＣ）２０８により、それへのアクセスが制御される。外部記憶装置２１１は、アプリケーションプログラム、フォントデータ、フォームデータ等を記憶したり、プリントジョブを一時的にスプールし、スプールされたジョブを外部から制御するためのジョブ格納領域として使用される。更に、スキャナ部１０４で読み取って得られた画像データやプリントジョブの画像データをＢＯＸデータとして保持し、ネットワークから参照し、印刷を行うＢＯＸデータ格納領域としても使用される。実施形態１では、外部記憶装置２１１としてはＨＤＤを使用するものとし、ジョブログ、画像ログ等の各種ログを保持する。操作部１０５は、ソフトウェアキー又はハードウェアキーを介してユーザが各種情報を入力でき、また操作部１０５の表示部（不図示）を介してユーザに各種情報を提示する。不揮発性メモリ２０９は、操作部１０５やネットワーク１１０を介して設定される各種設定情報を記憶している。ビデオインターフェース２１４は、印刷制御装置１０２から画像データを受信する。
【００２１】
図３は、実施形態１に係る印刷制御装置１０２のハードウェア構成を説明するブロック図である。
【００２２】
ＣＰＵ３０１は、ＲＯＭ３０３に記憶されているブートプログラムを実行して外部記憶装置３０９に記憶された制御プログラムをＲＡＭ３０２に展開し、それを実行することにより、システムバス３０４に接続される各部を総括的に制御する。またＣＰＵ３０１は、ＬＡＮコントローラ３０６を介して画像形成装置１０１との通信が可能である。またＣＰＵ３０１はＬＡＮコントローラ３０７を介して、ネットワーク１１０上のクライアントコンピュータ１０３や画像形成装置１０１との通信が可能である。ＲＡＭ３０２は、主としてＣＰＵ３０１の主メモリ、ワークエリア等として機能する。ハードディスク（ＨＤＤ）、ＩＣカード等の外部記憶装置３０９は、ディスクコントローラ（ＤＫＣ）３０８により、それへのアクセスが制御される。外部記憶装置３０９は、アプリケーションプログラム、フォントデータ、フォームデータ等を記憶したり、プリントジョブを一時的にスプールする。スプールされたジョブは、ＲＩＰ（Ｒａｓｔｅｒ Ｉｍａｇｅ Ｐｒｏｃｅｓｓｏｒ）により処理され、再度、外部記憶装置３０９に保存される。操作部３０５は、ユーザが操作ボタン部１１２を介して入力した各種情報を受取ってシステムバス３０４に出力し、またそのバス３０４から受け取った情報を表示部１１１へ出力して表示する。ビデオインターフェース３１０は、画像形成装置１０１へＲＩＰ処理した画像データを送信するのに使用される。キーボードコントローラ（ＫＢＣ）３１１は、キーボード１１４、マウス（登録商標）等のポインティングデバイス１１５からの情報の入力に係る処理を行う。表示制御部３１２は内部にビデオメモリを有し、ＣＰＵ３０１からの指示に従ってそのビデオメモリに描画すると共に、そのビデオメモリに描画されたイメージデータをビデオ信号として表示装置１１３に出力して表示させる。
【００２３】
図４は、実施形態１に係る印刷制御装置１０２上で動作する用紙管理アプリケーションにより表示される画面例を示す図である。図４（Ａ）は、画像形成装置１０１の給紙段（給紙部）の情報を表示した画面例を示し、図４（Ｂ）は、画像形成装置１０１の各種調整設定を実施可能なボタンを表示した画面例を示している。
【００２４】
用紙管理アプリケーションのトップ画面は、ＣＰＵ３０１からの指示に従ってそのビデオメモリに描画すると共に、ビデオメモリに描画されたイメージデータをビデオ信号として表示装置１１３に出力されて表示される。
【００２５】
図４（Ａ）に示す用紙管理アプリケーションのトップ画面４０１は、タブコントロールを実施可能な表示領域４０２を含んでいる。図４（Ａ）は、デバイスタブ４０３が押下されて、表示領域４０２に画像形成装置１０１の給紙段情報を表示した状態の画面を示している。
【００２６】
一方、調整タブ４０４を押下すると、図４（Ｂ）に示すように、表示領域４０２に各種調整設定を実施可能なボタンを表示した状態の画面を表示させることができる。
【００２７】
図４（Ａ）の表示領域４０５は、現在、印刷制御装置１０２に接続されている画像形成装置１０１のハードウェアオプションの接続状況を表示している。用紙管理アプリケーションは起動すると、画像形成装置１０１から、そのハードウェアオプション情報を取得し、このオプション情報に従って、そのハードウェアオプションの接続状況を表示する。図４（Ａ）では、ＰＯＤデッキが重連で、かつフィニッシャが接続されている状態を表している。給紙段ボタン４０６〜４１３は、各給紙段に対応する操作ボタンである。用紙管理アプリケーションが起動した時に取得した画像形成装置１０１の給紙段の情報を基に、これら給紙段ボタン４０６〜４１３を作成して配置する。用紙情報４１４は、画像形成装置１０１の給紙段に装填可能な用紙情報を表示している。用紙情報４１４の各行には、用紙の属性情報とその用紙の坪量が表示されている。表示されている用紙の属性情報をスクロールしたい場合は、スライダーバー４１５を操作することで表示できる。また表示されている用紙以外の用紙情報を表示したい場合は、スライダーバー４１６を操作することで、他の用紙情報を表示できる。
【００２８】
図４（Ｂ）に示す用紙管理アプリケーションのトップ画面４３０は、各種調整機能に対応して、各種調整値を設定可能なボタン４１７を含んでいる。ここでは、この画像形成装置１０１で実施可能な調整項目が表示されている。スライダーバー４１８を走査することで、現在表示されていない調整項目を表示して確認することができる。二次転写電圧の調整ボタン４１９、光沢性／黒品位の調整ボタン４２０については、詳しく後述する。
【００２９】
図５は、実施形態１に係る印刷制御装置１０２が図４に示す用紙管理アプリケーションのトップ画面を表示するときの処理を説明するフローチャートである。尚、このフローチャートで示す処理は、ＣＰＵ３０１が外部記憶装置３０９に格納されている用紙管理アプリケーションプログラムをＲＡＭ３０２に展開して実行することにより達成される。
【００３０】
この用紙管理アプリケーションが起動されるとＳ５０１でＣＰＵ３０１は、用紙管理の対象となる画像形成装置１０１のモデルを判別する。そしてＣＰＵ３０１は画像形成装置１０１のモデルを判別し、図４（Ａ）のハードウェアオプションを示す画面４０５を作成するときや、モデルごとの仕様差を吸収する際に、この判別したモデルを参照する。このときＣＰＵ３０１は、画像形成装置１０１と通信を行ってモデル情報を取得し、予め保持しているモデル情報を基に画像形成装置１０１のモデルを判別する。次にＳ５０２に進みＣＰＵ３０１は、画像形成装置１０１に接続されているハードウェアオプションを判別する。そしてハードウェアオプション画面を作成する時、給紙段の情報を特定する場合や、モデルごとの仕様差を吸収する際に、この判別したハードウェアオプションを参照する。
【００３１】
次にＳ５０３へ進みＣＰＵ３０１は、用紙管理の対象となる画像形成装置１０１に接続されている給紙段を判別し、接続されている給紙段の数を特定する。次にＳ５０４に進みＣＰＵ３０１は、画像形成装置と通信を行い、接続されている給紙段のそれぞれに設定されている用紙情報を取得する。そしてＳ５０５に進みＣＰＵ３０１は、例えば図４（Ａ）に示すトップ画面４０１に表示する給紙段ボタン４０６〜４１３の情報を作成する。そしてＳ５０６に進みＣＰＵ３０１は、画像形成装置１０１と通信を行って、図４の用紙情報４１４に表示する用紙リストを取得する。次にＳ５０７に進みＣＰＵ３０１は、例えば図４のように表示する用紙リスト４１４の情報を作成してＳ５０８に遷移する。
【００３２】
Ｓ５０８でＣＰＵ３０１は、画像形成装置１０１と通信を行い、図４（Ｂ）の調整ボタン４１７に表示するために、各調整の調整値を取得してＳ５０９に進む。Ｓ５０９でＣＰＵ３０１は、Ｓ５０８で取得した調整値に基づいて、調整ボタン４１７のそれぞれに設定する文字列を作成する。ここで調整値が一つしかない場合はその値を表示し、２つ以上ある場合は調整あり／調整なしを表示する。そしてＳ５１０に進みＣＰＵ３０１は、上述の処理で取得した画像形成装置１０１のモデル、ハードウェアオプション情報、給紙段ボタン情報、用紙リスト情報、調整ボタンの文字列を用いて、例えば図４に示すような画面を作成する。そしてＳ５１１に進みＣＰＵ３０１は、その画面情報を表示装置１１３に出力して表示する。
【００３３】
図６は、図５に示す印刷制御装置１０２の動作に応じて、実施形態１に係る画像形成装置１０１が実行する処理を説明するフローチャートである。尚、このフローチャートで示す処理は、ＣＰＵ２０１が外部記憶装置２１１に格納されているプログラムをＲＡＭ２０２に展開して実行することにより達成される。
【００３４】
先ずＳ６０１でＣＰＵ２０１は、自身のモデル情報を外部記憶装置２１１より取得し、印刷制御装置１０２に送信可能なデータとして作成する。そしてＳ６０２に進みＣＰＵ２０１は、画像形成装置１０１に接続されているハードウェアオプション情報を外部記憶装置２１１より取得し、印刷制御装置１０２に送信可能なデータとして作成する。そしてＳ６０３に進みＣＰＵ２０１は、画像形成装置１０１の給紙段情報を外部記憶装置２１１より取得し、印刷制御装置１０２に送信可能なデータとして作成する。そしてＳ６０４に進みＣＰＵ２０１は、画像形成装置１０１の用紙リスト情報を外部記憶装置２１１より取得し、印刷制御装置１０２に送信可能なデータとして作成する。次にＳ６０５に進みＣＰＵ２０１は、画像形成装置１０１の調整値情報を外部記憶装置２１１より取得し、印刷制御装置１０２に送信可能なデータとして作成する。尚、Ｓ６０５では、画像形成装置１０１で実施可能な調整項目のすべてに対する調整値を取得する。
【００３５】
次にＳ６０６に進みＣＰＵ２０１は、印刷制御装置１０２よりモデル情報の問合せを受信したか否か判定し、モデル情報の問合せを受信するとＳ６０７に進み、Ｓ６０１で作成したモデル情報を印刷制御装置１０２に送信してＳ６０８に進む。Ｓ６０６でモデル情報の問合せを受信していない場合もＳ６０８に遷移する。Ｓ６０８でＣＰＵ２０１は、印刷制御装置１０２よりハードウェアオプション情報の問合せを受信したか否かを判定する。そうであればＳ６０９に進み、Ｓ６０２で作成したハードウェアオプション情報を印刷制御装置１０２に送信してＳ６１０に遷移する。Ｓ６０８でハードウェアオプション情報の問合せを受信していない場合もＳ６１０に遷移する。Ｓ６１０でＣＰＵ２０１は、印刷制御装置１０２より、給紙段情報の問合せを受信したか否か判定する。そうであればＳ６１１に進み、Ｓ６０３で作成した給紙段情報を印刷制御装置１０２に送信してＳ６１２に遷移する。またＳ６１０にて給紙段情報の問合せを受信していない場合もＳ６１２に遷移する。Ｓ６１２でＣＰＵ２０１は、印刷制御装置１０２より用紙リスト情報の問合せを受信したか否か判定する。そうであればＳ６１３に進みＣＰＵ２０１は、Ｓ６０４で作成した用紙リスト情報を印刷制御装置１０２に送信してＳ６１４に進む。またＳ６１２で用紙リスト情報の問合せを受信していない場合もＳ６１４に遷移する。Ｓ６１４でＣＰＵ２０１は、印刷制御装置１０２より調整値情報の問合せを受信したか否か判定する。そうであればＳ６１５に進み、Ｓ６０５で作成した調整値の情報を印刷制御装置１０２に送信してＳ６０６に遷移する。またＳ６１４で調整値の情報の問合せを受信していない場合もＳ６０６に遷移する。
【００３６】
以上の処理により、印刷制御装置１０２は、例えば図４に示すような画面を表示装置１０３に表示することができる。
【００３７】
説明を図４に戻す。図４（Ａ）で、給紙段１の給紙段ボタン４０６がポインティングデバイス１１５等を用いて指示されると、例えば図７に示すような給紙段１の用紙設定画面が表示される。尚、他の給紙段ボタン４０７〜４１３が指示された場合も、このボタン４０６と場合と基本的に同様に表示されて処理が行われるため、その説明を省略する。実施形態１では詳細に説明しないが、給紙段は、インサータや手差しトレイなどの様々なタイプの給紙装置を含む。また、以降の説明では、ボタン押下時等のアプリケーションの操作時にポインティングデバイス１１５等を使用するといった説明を省略するが、タッチパネル或いはこのような入力デバイスを使用して、ボタンなどを指示するものである。
【００３８】
図７は、実施形態１に係る印刷制御装置１０２が表示する給紙段１の用紙設定画面の一例を示す図である。この給紙段１の用紙設定画面は、ＣＰＵ３０１からの指示に従ってそのビデオメモリに描画すると共に、ビデオメモリに描画されたイメージデータをビデオ信号として表示装置１１３に出力されて表示される。
【００３９】
給紙段１の画面のトップ画面７０１には、用紙情報表示領域７０２と、用紙リスト表示領域７０３と、割当ボタン７０４、用紙リスト更新ボタン７０５、閉じるボタン７０６が表示される。用紙情報表示領域７０２は、現在選択されている用紙の設定情報を表示する。図４（Ａ）の給紙段ボタン４０６が押下されて画面７０１が表示された時は、給紙段１に現在割り当てられている用紙の情報を表示する。用紙リスト表示領域７０３には、印刷制御装置１０２と画像形成装置１０１が管理している用紙情報の一覧が表示される。ユーザが、この用紙リスト７０３から用紙を選択した場合は、その選択された用紙の情報が用紙情報表示領域７０２に表示される。
【００４０】
まず、用紙情報表示領域７０２の各入力項目について説明する。
【００４１】
テキストフィールド７０７には、用紙の名称を入力することが可能である。名称を変更する場合は、このテキストフィールド７０７にキーボード１１４等を使用して、直接文字を入力して変更することができる。以降の説明では、入力時にキーボード１１４等を使用するといった説明は省略するが、以降の説明も、このような入力デバイスを使用して文字を入力するものである。そして、変更した情報を用紙情報に反映させるためには、用紙リスト更新ボタン７０５を押下する。用紙リスト更新ボタン７０５が押下されると、印刷制御装置１０２及び画像形成装置１０１の用紙情報を変更することができる。テキストフィールド７０８には、坪量を入力することができる。この場合の動作は、テキストフィールド７０７の場合と同じであるため、その説明を省略する。用紙のサイズ情報を表示するコンボボックス７０９は、リスト表示された用紙のサイズ情報から所望の用紙サイズを選択して設定することができる。変更した情報を用紙情報に反映させるためには、用紙リスト更新ボタン７０５を押下する。用紙リスト更新ボタン７０５を押下することで、印刷制御装置１０２と画像形成装置１０１の用紙情報を変更することができる。コンボボックス７１０は、用紙の表面性情報を表示する。尚、以下の各コンボボックスを用いた動作も、基本的にはサイズコンボボックス７０９の場合と同であるため、その説明を省略する。コンボボックス７１１は、用紙の特徴情報を表示する。コンボボックス７１２は、用紙の色情報を表示する。コンボボックス７１３は、用紙の両面の内、２面目の情報を表示する。コンボボックス７１４は、用紙のスキ目情報を表示する。
【００４２】
調整値の設定をまとめて表示する領域７１５は、調整関連の設定項目は多数存在するため、この画面中にすべて収めることができない。現在表示されていない調整の設定項目を確認する場合は、スライダーバー７１６を操作することで、現在表示されていない設定値を表示することができる。画像位置調整の設定項目ボタン７１７は、現在の用紙が、既に画像位置の調整が済みか否かを表示する。既に調整済みの場合は「調整あり」と表示し、調整していない場合は「調整なし」と表示する。画像位置調整の設定項目ボタン７１７を押下することで調整画面が開かれ、この調整画面で各種調整値を入力できる。変更した情報を用紙情報に反映させるためには、用紙リスト更新ボタン７０５を押下する。用紙リスト更新ボタン７０５が押下されると、印刷制御装置１０２の画像形成装置１０１の用紙情報を変更することができる。
【００４３】
カール補正の設定項目ボタン７１８の操作は、画像位置調整の設定項目ボタン７１７と基本的に同じであるため、その説明を省略する。サドル折り位置の調整の設定項目ボタン７１９は、現在の調整値をｍｍ単位で表示する。サドル折り位置の調整の設定項目ボタン７１９を押下することで調整画面が開かれ、この調整画面で各種調整値を入力することが可能である。変更した情報を用紙情報に反映させるためには、用紙リスト更新ボタン７０５を押下する。これにより、印刷制御装置１０２と画像形成装置１０１の用紙情報を変更することができる。クリープ補正量の調整の設定項目ボタン７２０の操作は、サドル折り位置の調整の設定項目ボタン７１９と基本的に同じであるため、その説明を省略する。中とじ折位置の調整の設定項目ボタン７２１の操作は、サドル折り位置の調整の設定項目ボタン７１９と場合と基本的に同じであるため、その説明を省略する。また中とじ位置調整の設定項目ボタン７２２の操作は、サドル折り位置の調整の設定項目ボタン７１９と基本的に同じであるため、その説明を省略する。二次転写電圧の調整の設定項目ボタン７２３の操作は、画像位置調整の設定項目ボタン７１７と場合と基本的に同じであるため、その説明を省略する。先端部二次転写電圧の調整の設定項目ボタン７２４の操作は、画像位置調整の設定項目ボタン７１７と場合と基本的に同じであるため、その説明を省略する。二次転写除電バイアスの調整の設定項目ボタン７２５の操作は、画像位置調整の設定項目ボタン７１７と基本的に同じであるため、その説明を省略する。一次転写電圧の調整の設定項目ボタン７２６の操作は、画像位置調整の設定項目ボタン７１７と場合と基本的に同じであるため、その説明を省略する。
【００４４】
次に、用紙リスト表示領域７０３について説明する。用紙リストを表示する表７２７において、各列に用紙の属性情報が、各行に用紙名が表示されている。ここで表示されている用紙の属性情報以外を表示したい場合は、スライダーバー７２８を操作することで表示可能となる。また、表示されている用紙以外を表示したい場合は、スライダーバー７２９を操作することで表示可能となる。用紙７３０は、用紙情報表示領域７０２に表示されている用紙を示し、選択されていることが分かるように反転して表示されている。用紙７３１〜７３３は、用紙情報表示領域７０２に表示されていない用紙を示す。この表７２７で、選択されていない用紙７３１〜７３３のいずれかを選択すると、用紙情報表示領域７０２に、新たに選択された用紙の情報が表示される。この状態で、割当ボタン７０４を押下することにより、選択されている給紙段１に、その新たに選択した用紙を割り当てることができる。何も変更せずに終了する場合は、閉じるボタン７０６を押下する。
【００４５】
以上説明した処理により、図４（Ａ）の画面で給紙段を選択することにより、その選択された給紙段に、所望の用紙を割り当てることができる。また、その給紙段に割り当てられた用紙に対して、画像位置の調整等の各種調整が済みか否かを表示することができ、またその調整値を変更することもできる。更にこのとき、複数種の用紙を同時に選択し、それら選択された複数種の用紙の全てに同じに各種調整値を設定することができる。
【００４６】
再び説明を図４に戻す。図４（Ｂ）に示す調整値の設定の一例を、二次転写電圧の調整ボタン４１９を使用して説明する。
【００４７】
この二次転写電圧の調整ボタン４１９は、図７の７ボタン７２３を押下した場合も同じ処理となる。図４（Ｂ）で用紙リスト４１４から用紙を選択し、二次転写電圧の調整ボタン４１９を押下すると、図８に示す二次転写電圧の調整画面が表示装置１１３に表示される。
【００４８】
図８は、実施形態１に係る印刷制御装置１０２により表示される二次転写電圧の調整画面の一例を示す図である。
【００４９】
この二次転写電圧の調整画面８０１は、ＣＰＵ３０１からの指示に従ってそのビデオメモリに描画すると共に、ビデオメモリに描画されたイメージデータをビデオ信号として表示装置１１３に出力されて表示される。この調整画面８０１は、二次転写電圧の調整値を変更することが可能な画面である。テキストボックス８０２には、用紙のオモテ面にトナーを転写する際の電圧値を調整する値がセットされる。テキストボックス８０３には、用紙のウラ面にトナーを転写する際の電圧値を調整する値がセットされる。ここでは、これらテキストボックスを選択し、直接数値を入力することが可能であるが、各対応する−ボタン８０４，８０６と、＋ボタン８０５，８０７を押下することで、その数値を変更することもできる。この画面で設定した数値を反映させるためには、ユーザはＯＫボタン８０８を押下する。ＯＫボタン８０８が押下されると、この画面で設定された調整値を用紙管理アプリケーションが保存すると同時に、画像形成装置１０１の調整値を変更するために、その調整値を画像形成装置１０１に送信する。画像形成装置１０１は、この調整値を受信すると、二次転写電圧の設定値を、その受信した調整値に応じて変更する。ＯＫボタン８０８が押下されると、この画面８０１は終了する。またキャンセルボタン８０９が押下されると、この画面で設定された調整値を反映することなく画面８０１を終了する。テストプリントボタン８１０は、ここで設定された調整値により、どのような印刷結果が得られるかを確認するためにテストプリントを実行させるボタンである。テストプリントボタン８１０が押下されると、図９に示すテストプリント用の給紙段選択画面が表示装置１１３に表示される。
【００５０】
図９は、実施形態１に係る印刷制御装置１０２により表示されるテストプリント用の給紙段選択画面９０１の一例を示す図である。この画面９０１は、ＣＰＵ３０１からの指示に従ってそのビデオメモリに描画すると共に、ビデオメモリに描画されたイメージデータをビデオ信号として表示装置１１３に出力されて表示される。
【００５１】
この画面９０１では、画像形成装置１０１のイメージと、給紙段のボタンが配置された画面が表示されている。ここで９０２は、現在、印刷制御装置１０２に接続されている画像形成装置１０１のハードウェアオプションの接続状況を表わしている。ユーザは、給紙段ボタン９０３〜９１０の中から、二次転写電圧の調整のテストを実施したい給紙段を選択し、その選択した給紙段から給紙した用紙にテスト印刷できる。いま例えば、給紙段１のボタン９０３が選択されると、用紙管理アプリケーションは図８のテキストボックス８０２，８０３で設定された二次転写電圧の調整値と、テストプリントの実施情報を画像形成装置１０１に送信する。画像形成装置１０１は、これらのデータを基にテストプリントを実施する。
【００５２】
次に本発明の実施形態１に係る印刷制御装置１０２の処理について、図１０のフローチャートを参照して説明する。
【００５３】
図１０は、実施形態１に係る印刷制御装置１０２の処理を説明するフローチャートである。尚、このフローチャートで示す処理は、ＣＰＵ３０１が外部記憶装置３０９に格納されているプログラムをＲＡＭ３０２に展開して実行することにより達成される。尚、本実施形態１では、二次転写電圧の調整を例に説明するが、その他の調整機能における処理でも同様である。
【００５４】
まずＳ１００１でＣＰＵ３０１は、図４（Ｂ）の画面で、二次転写電圧の調整ボタン４１９が押下されたことを検知するとＳ１００２に遷移する。Ｓ１００２でＣＰＵ３０１は、例えば図８に示すような二次転写電圧調整の画面８０１を表示する。そしてＣＰＵ３０１は、二次転写電圧の調整画面８０１でＯＫボタン８０８が押下されたことを検知すると、テキストボックス８０２，８０３で設定された二次転写電圧の調整値を取得してＳ１００３へ遷移する。Ｓ１００３でＣＰＵ３０１は、その設定されている設定値を取得して一時的にＲＡＭ３０２に保存してＳ１００４に遷移する。
【００５５】
Ｓ１００４でＣＰＵ３０１は、調整対象となる用紙が選択されているか否かを判定し、用紙が選択されていると判定するとＳ１００５に遷移する。Ｓ１００５でＣＰＵ３０１は、その選択されている用紙の二次転写電圧の調整値に、Ｓ１００３で一時保存した設定値を保存してＳ１００６へ遷移する。Ｓ１００６でＣＰＵ３０１は、選択されている用紙の二次転写電圧の調整値を変更するためのデータを画像形成装置１０１に送信して、この処理を終了する。これにより画像形成装置１０１は、このデータを受信すると、作成済みの用紙リスト情報を更新する。
【００５６】
一方、Ｓ１００４でＣＰＵ３０１は、調整対象となる用紙が選択されていないと判定するとＳ１００７へ遷移する。この場合は、用紙を選択する前に調整を先に実施し、調整した内容を、後で選択した用紙に反映したい場合である。Ｓ１００７でＣＰＵ３０１は、用紙管理アプリケーションのもつ用紙リスト情報を表示する。図１１は用紙リスト画面の一例を示す図である。
【００５７】
図１１は、実施形態１に係る印刷制御装置１０２が表示する用紙リスト画面の一例を示す図である。この用紙リスト画面は、ＣＰＵ３０１からの指示に従ってそのビデオメモリに描画すると共に、ビデオメモリに描画されたイメージデータをビデオ信号として表示装置１１３に出力されて表示される。
【００５８】
ここでは、用紙リスト画面のトップ画面１１０１を示している。表１１０２は用紙リストを表示しており、各行に用紙の種類、各列に用紙の属性情報が表示されている。ここに表示されている用紙の属性情報以外を表示したい場合は、スライダーバー１１０３を操作することで表示でき、また表示されている用紙以外を表示したい場合は、スライダーバー１１０４を操作することで表示可能となる。用紙１１０５〜１１１５は、用紙リストの表１１０２に現在表示されている用紙の種類を示している。これら内、用紙１１０５〜１１０８は選択された状態にあり、選択されていることが分かるように、非選択状態と比べて白黒の反転表示されている。用紙１１０９〜１１１５は非選択状態である。この状態でＯＫボタン１１１６が押下されると、選択されている用紙に、Ｓ１００３で保存した二次転写電圧の調整値を反映する。キャンセルボタン１１１７が押下されると、この画面の設定がキャンセルされる。
【００５９】
実施形態１では、二次転写電圧の調整であるため、坪量、表面性が共通している用紙にこの調整値を設定する可能性がある。よって図１１では、坪量、表面性が共通している用紙１１０５〜１１０８の両面コート＿１〜両面コート＿４を複数選択した状態を表している。用紙１１０６の両面コート紙＿２は、用紙１１０５と比べて、サイズがＡ３である点が異なっている。用紙１１０７の両面コート紙＿３は、サイズがＡ３で色がクリームであるが用紙１１０５と異なっている。用紙１１０８の両面コート紙＿４は、特徴がパンチ紙である点が異なっている。この選択で、ＯＫボタン１１１６若しくは、キャンセルボタン１１１７が押下されるとＳ１００８に遷移する。用紙が選択されてＯＫボタン１１１６が押下された場合はＳ１００８からＳ１００９に遷移する。また用紙が選択されていない時はＯＫボタン１１１６は押下できないようにしても良い。Ｓ１００９でＣＰＵ３０１は、自身が管理している用紙リストに対して、用紙リスト画面で選択された全ての用紙の二次転写電圧の調整値に、Ｓ１００３で保存した設定値を反映してＳ１０１０に遷移する。Ｓ１０１０でＣＰＵ３０１は、選択されている用紙の二次転写電圧の調整値を変更するためのデータを画像形成装置１０１に送信する。これにより画像形成装置１０１は、このデータを受信すると、Ｓ６０５で、作成済みの用紙リスト情報を更新する。
【００６０】
またキャンセルボタン１１１７が押下された場合はＳ１００８からＳ１０１１に遷移して、ＣＰＵ３０１は、その画面の設定をキャンセルして、この処理を終了する。
【００６１】
以上説明したように実施形態１によれば、画像形成装置の各給紙段に所望の用紙情報を設定することができる。そして、その設定された用紙に対応して、例えば二次転写電圧等の調整値を設定して画像形成装置１０１に指示することができる。
【００６２】
更に、用紙に画像を形成する上で、画像形成装置の特性が影響する各種調整値を設定した後、その設定値を設定する対象となる用紙を用紙リストから複数選択し、それら選択された複数種の用紙に共通して、その調整値を設定することができる。
【００６３】
［実施形態２］
次に本発明の実施形態２に係る印刷制御装置１０２の処理を説明する。尚、実施形態２に係る画像形成装置１０１、印刷制御装置１０２、及びこれらを含む印刷システムの構成は前述の実施形態１と同じであるため、その説明を省略する。
【００６４】
図１２は、実施形態２に係る印刷制御装置１０２による図１０のＳ１００７〜Ｓ１００９の表示処理のタイの例を説明するフローチャートである。尚、このフローチャートで示す処理は、ＣＰＵ３０１が外部記憶装置３０９に格納されているプログラムをＲＡＭ３０２に展開して実行することにより達成される。尚、本実施形態１では、二次転写電圧の調整を例に説明するが、その他の調整機能における処理でも同様である。尚、この図１２では、図１０のフローチャートのＳ１００７からＳ１００９までの処理で説明する。
【００６５】
Ｓ１００７で用紙リスト画面の表示を行うと、図１３（Ａ）に示す画面を表示してＳ１２０１に遷移する。
【００６６】
図１３（Ａ）は、実施形態２に係る印刷制御装置１０２が表示する用紙リスト画面の一例を示す図である。これは表示された初期状態であり、表示されている用紙リスト画面１３０１の用紙はまだ何も選択されていない。
【００６７】
Ｓ１２０１でＣＰＵ３０１は、図１３（Ａ）の画面で、いずれかの用紙が選択されたかを否かを判定する。図１３（Ａ）で、例えば用紙１３０２が選択された場合は、Ｓ１２０２に遷移する。Ｓ１２０２でＣＰＵ３０１は、用紙１３０２の関連用紙が存在するかを、用紙リストから確認する。用紙１３０２の関連用紙とは、用紙情報の作成時に使用した作成元の用紙データベースが同じものである。画像形成装置１０１にて用紙の情報を新規作成する場合、用紙データベースである基本用紙情報を設定したテンプレート用紙情報を基に作成することがある。画像形成装置１０１を使用するオペレータが、新規に用紙情報を登録する際に、登録したい用紙と近い属性を有する用紙情報を使用する。つまり、選択したテンプレートを複製して、登録したい用紙情報と差異がある部分だけを変更して簡単に新規に用紙情報を登録することが可能となる。この様なフローで用紙情報を新規に作成して登録した場合、元となったテンプレート情報が、新規の用紙情報に付加される。関連用紙とは、同じテンプレートを使用して作成された用紙情報のことである。同じテンプレートを使用して作成された用紙情報は、用紙の属が非常に近い用紙同士である。つまり、この様な関連用紙には、同じ調整値の設定をする可能性が高い。
【００６８】
Ｓ１２０２でＣＰＵ３０１は、関連用紙が存在すると判定した場合はＳ１２０３に遷移する。Ｓ１２０３でＣＰＵ３０１は、用紙１３０２の関連用紙で表示の絞り込みをする。図１３（Ｂ）は、実施形態２に係る印刷制御装置１０２が表示する用紙リスト画面の一例を示し、用紙１３０２の関連用紙で絞り込み表示を実施した例を示している。
【００６９】
用紙リスト画面１３０３は、絞り込み表示を行った結果を示し、用紙１３０２は、図１３（Ａ）の用紙１３０２と同じ用紙であり、選択されたことにより反転表示されている。用紙１３０５〜１３０７は、用紙１３０２の関連用紙である。従って、図１３（Ａ）の用紙リスト画面１３０１に表示されていた片面コート紙は、用紙１３０２とは関連用紙ではないため図１３（Ｂ）の画面には表示されない。ここで解除ボタン１３０８が押下されると、絞り込み表示は終了する。この解除ボタン１３０８は、一度解除の操作をされると、次は「絞り込み」に表示が切り替えられ、再度、そのボタン１３０８を押下することで、図１３（Ｂ）のように、絞り込み状態で表示することが可能となる。そしてＳ１２０４でＣＰＵ３０１は、選択された用紙情報を反転表示して、この処理を終了する。
【００７０】
一方、Ｓ１２０２で関連用紙が無いと判定した場合はＳ１２０４に遷移し、ＣＰＵ３０１は絞り込みを行うことなく、全ての用紙を表示してこの処理を終了する。その他の実施形態としては、Ｓ１２０２で関連用紙が無いと判定した場合はＳ１２０３に遷移し、選択された用紙のみを表示するようにしても良い。また或いは、関連用紙が無いことを知らせるポップアップ画面を表示して、オペレータにどちらの遷移をするか選択させても良い。Ｓ１００９以降の処理は実施形態１と同様であるため、その説明を省略する。
【００７１】
以上説明したように実施形態２によれば、選択した用紙情報（用紙の属性）に近い用紙情報を有する複数種の用紙に対して、簡単に、その用紙に適した調整値を設定することができる。
【００７２】
［実施形態３］
次に本発明の実施形態３である印刷制御装置１０２の処理について、図１４のフローチャートを参照して説明する。尚、実施形態３に係る画像形成装置１０１、印刷制御装置１０２、及びこれらを含む印刷システムの構成は前述の実施形態１と同じであるため、その説明を省略する。
【００７３】
図１４は、実施形態３に係る印刷制御装置１０２による図１０のＳ１００７〜Ｓ１００９の処理を説明するフローチャートである。尚、このフローチャートで示す処理は、ＣＰＵ３０１が外部記憶装置３０９に格納されているプログラムをＲＡＭ３０２に展開して実行することにより達成される。尚、本実施形態１では、二次転写電圧の調整を例に説明するが、その他の調整機能における処理でも同様である。
【００７４】
Ｓ１００７にて用紙リスト画面の表示を行うと、図１５（Ａ）に示す画面を表示してＳ１４０１に遷移する。
【００７５】
図１５（Ａ）は、表示された初期状態であり、用紙リスト画面１５０１の用紙はまだ何も選択されていない。絞り込み要素選択リストボックス１５０２は、用紙リスト１５０１の列で示す用紙属性を選択可能となっている。このリスト選択された属性で、選択された用紙により再度絞り込み表示を行うことも可能となる。
【００７６】
Ｓ１４０１でＣＰＵ３０１は、図１５（Ａ）で、用紙が何か選択されたかを確認する。図１５（Ａ）にて、用紙１５０３が選択された場合はＳ１４０２に遷移する。Ｓ１４０２でＣＰＵ３０１は、ボックス１５０２に設定されている坪量を基に絞り込みを行う。実施形態３では、各調整機能において、一番影響がある用紙属性を保持しておき、この属性により自動的に絞り込み処理を実施する。実施形態３では、二次転写電圧の調整機能を基に説明しており、二次転写電圧の調整時に一番影響があるのは坪量である。よって実施形態３では、同じ数値の坪量で絞り込みを行うとして説明するが、大小、範囲等の色々な指定方法で表示の絞り込みをしても良い。
【００７７】
Ｓ１４０２でＣＰＵ３０１は、用紙１５０３と同じ坪量の用紙が存在した場合はＳ１４０３に遷移する。Ｓ１４０３でＣＰＵ３０１は、用紙１５０３と同じ坪量の用紙で表示の絞り込みをする。
【００７８】
図１５（Ｂ）は、用紙１５０３と同じ坪量の用紙で絞り込み表示を行って用紙リストを実施した例を示す図である。
【００７９】
絞り込み表示を行った用紙リスト画面１５０４において、用紙１５０３は、用紙が選択されたことにより反転表示されている。用紙１５０６〜１５１０は、用紙１５０３と同じ坪量の用紙である。図１５（Ａ）の用紙リスト１５０１に表示されていた両面コート紙は、用紙１５０３とは同じ坪量の用紙ではないため表示されない。要素選択リストボックス１５０２の要素を非選択（空白行を選択）することで、この絞り込み表示は終了する。要素選択リストボックス１５０２には、現在絞り込みを行った用紙属性の情報を表示する。実施形態３では、坪量で絞り込みを行った坪量を表示する。また再度、要素選択リストボックス１５０２から要素を選択することで、絞り込み状態を表示することが可能となる。
【００８０】
一方、Ｓ１４０２で同じ坪量の用紙が無いと判定した場合はＳ１４０４に進みＣＰＵ３０１は、絞り込みを行うことなく、全ての用紙を表示する。その他の実施形態としては、Ｓ１４０３に遷移したとき選択された用紙のみを表示するとしても良いし、同じ坪量の用紙が無いことを知らせるポップアップ画面を表示して、オペレータにどちらの遷移をするか選択させても良い。Ｓ１００９以降の処理は実施形態１と同様であるためその説明を省略する。
【００８１】
以上説明したように実施形態３によれば、選択した用紙情報（用紙の属性（ここでは坪量））に近い用紙情報を有する複数種の用紙に対して、簡単に、その用紙に適した調整値を設定することができる。
【００８２】
［実施形態４］
次に本発明の実施形態４に係る印刷制御装置１０２の処理について、図１６のフローチャートを参照して説明する。尚、実施形態４に係る画像形成装置１０１、印刷制御装置１０２、及びこれらを含む印刷システムの構成は前述の実施形態１と同じであるため、その説明を省略する。
【００８３】
図１６は、実施形態４に係る印刷制御装置１０２における、図１０のＳ１００３以降の処理を説明するフローチャートである。尚、このフローチャートで示す処理は、ＣＰＵ３０１が外部記憶装置３０９に格納されているプログラムをＲＡＭ３０２に展開して実行することにより達成される。図１６では図１０と共通する部分は同じ符号で示し、それらの説明を省略する。尚、上述の実施形態１では二次転写電圧の調整をもとに説明を行ったが、実施形態４では光沢性／黒品位の調整を基に説明をする。光沢性／黒品位の調整は図４のボタン４２０を押下することで調整を行うことが可能である。図７では、光沢性／黒品位の調整は表示されていないが、７１６のスライダーバー７１６を動作させることで、表示部分７１５に表示される。この非表示のボタンを押下しても同じ調整が可能である。
【００８４】
まずＳ１００４でＣＰＵ３０１は、既に調整対象となる用紙が選択されているかどうか判定し、選択されていない場合はＳ１６０１へ遷移する。Ｓ１６０１でＣＰＵ３０１は、Ｓ１００１で押下されたボタンが、どの調整機能に対応しているかを取得してＳ１６０２に遷移する。Ｓ１６０２でＣＰＵ３０１は、Ｓ１６０１で取得した調整機能において、調整することができない用紙があるかどうか判定する。実施形態４では、調整することができるかどうかの設定を、予め用紙管理アプリケーションが保持しているとして説明をするが、画像形成装置１０１からこの情報を取得するとしても良い。調整することができない用紙がある場合について、光沢性／黒品位の調整を元に説明をする。図４のボタン４２０を押下することで、図１７を用いて説明する。
【００８５】
図１７は、実施形態４に係る印刷制御装置１０２により表示される光沢性／黒品位の調整画面１７０１の一例を示す図である。この画面は、ＣＰＵ３０１からの指示に従ってそのビデオメモリに描画すると共に、ビデオメモリに描画されたイメージデータをビデオ信号として表示装置１１３に出力されることにより表示される。
【００８６】
この画面１７０１は、光沢性／黒品位の調整値を変更することが可能な画面である。光沢性を調整するテキストボックス１７０２、黒品位を調整するテキストボックス１７０３を含んでいる。ここでは、これらテキストボックスを選択し、そこに直接、数値を入力することができるが、各対応する−ボタン１７０４，１７０６と、＋ボタン１７０５，１７０７を押下することで、その数値を変更することもできる。設定した数値を反映させるためには、１７０８のＯＫボタン１７０８を押下する。ＯＫボタン１７０８が押下されると、この設定値を用紙管理アプリが保存すると同時に、画像形成装置１０１の設定値を変更するために設定値を送信する。画像形成装置１０１は、この設定値を受信すると、光沢性／黒品位の設定値を受信した値に変更する。ＯＫボタン１７０８が押下されると画面１７０１の表示は終了する。キャンセルボタン１７０９が押下されると、テキストボックス１７０２，１７０３で設定した値を二次転写電圧の調整値に反映することなく、この画面を終了する。テストプリントボタン１７１０は、調整した設定値により、どのような印刷結果になるかを確認するために、画像形成装置１０１にテストプリントを実行させるボタンである。テストプリントボタン１７１０が押下されると、図９のテストプリント給紙段選択画面が表示される。図９は既に説明済みであるため、その説明を省略する。
【００８７】
ここで光沢性と黒品位の調整は、それぞれ調整値が連動していて、一方を変更すると他方は対応する値に自動的に設定される。尚、黒品位の調整をした場合は、この調整値はＯＨＰフィルム、コート紙、ベラム紙には無効となる。よって、この調整を行った時には、ＯＨＰフィルム、コート紙、ベラム紙は調整できない用紙となる。
【００８８】
再び図１６のフローチャートに説明を戻す。Ｓ１６０２でＣＰＵ３０１は、調整することができない用紙がある場合はＳ１６０３に遷移する。Ｓ１６０３でＣＰＵ３０１は、用紙リストにこれら用紙を非表示とする処理を行ってＳ１００７に遷移する。このフローを処理して表示される用紙リストを図１８に示す。
【００８９】
図１８は、実施形態４に係る印刷制御装置１０２により表示される図１３（Ａ）の用紙リストを光沢性／黒品位の調整を行って、絞り込み表示を行った時の画面例を示す図である。
【００９０】
用紙リスト画面１８０１において、図１３（Ａ）に示すコート紙が全て非表示となり、普通紙のみが表示されている。再び説明をＳ１６０２に戻す。
【００９１】
Ｓ１６０２でＣＰＵ３０１は、調整することができない用紙がない場合はＳ１００７に遷移し、用紙リストを表示する（図１３（Ａ））。Ｓ１００７以降の処理は実施形態１と同様であるため、その説明を省略する。
【００９２】
以上説明したように実施形態４によれば、用紙を使用して画像を形成する上で画像形成装置１０１の特性が影響する調整の項目が選択されると、その調整の項目が適用できない属性の用紙を用紙リストから除外して表示する。これにより、ユーザが誤って調整対象でない用紙を選択して、その用紙に調整のための設定値を設定するのを防止できる。
【００９３】
［実施形態５］
次に本発明の実施形態５である印刷制御装置１０２の処理について、図１９、２０のフローチャートを参照して説明する。尚、実施形態５に係る画像形成装置１０１、印刷制御装置１０２、及びこれらを含む印刷システムの構成は前述の実施形態１と同じであるため、その説明を省略する。
【００９４】
図１９は、実施形態５に係る印刷制御装置１０２による図１０のＳ１００３からＳ１００４までの処理を説明するフローチャートである。尚、このフローチャートで示す処理は、ＣＰＵ３０１が外部記憶装置３０９に格納されているプログラムをＲＡＭ３０２に展開して実行することにより達成される。図１９では、テストプリント時に使用した用紙を保存する処理について説明する。
【００９５】
Ｓ１００３でＣＰＵ３０１は、調整画面の設定値を保存する処理を実行するとＳ１９０１に遷移する。Ｓ１９０１でＣＰＵ３０１は、調整画面にてテストプリントを実施したかどうか判定する。ここでテストプリントを実施していない場合はＳ１００７に遷移して用紙リストを表示する。一方、テストプリントを実施したと判定した場合はＳ１９０２に進む。Ｓ１９０２でＣＰＵ３０１は、テストプリントを行った用紙の用紙情報を、設定値の保存情報と併せて保存して、Ｓ１００７の用紙リストの表示処理へ遷移する。
【００９６】
次に、テストプリント時に使用した用紙を使用して、用紙リストの絞り込み表示を実施するフローについて、図２０のフローチャートを参照して説明する。
【００９７】
図２０は、実施形態５に係る印刷制御装置１０２による図１０のＳ１００４以降の処理を説明するフローチャートである。
【００９８】
Ｓ１００４でＣＰＵ３０１は、用紙が選択されていない場合はＳ２００１に遷移する。Ｓ２００１でＣＰＵ３０１は、調整時にテストプリントが実施されているかどうか判定する。ここでテストプリントが実施されていないと判定した場合はＳ１００７に遷移し、前述したように用紙リストの表示を行う。
【００９９】
一方、調整時にテストプリントが実施されていた場合はＳ２００２に遷移する。Ｓ２００２でＣＰＵ３０１は、Ｓ１９０２で保存した、テストプリント時に使用した用紙情報を取得する。そしてＳ２００３に進みＣＰＵ３０１は、テストプリントで使用した用紙の用紙情報を基に、用紙情報の絞り込み処理を実施する。この絞り込み処理は、既に実施形態２〜４で記載した方法を基づいて絞り込み処理を実施するため、その説明を省略する。こうしてＳ２００３で絞り込み処理を実施するとＳ１００７に遷移し、絞り込み処理を実施した用紙リストの表示を行う。Ｓ１００７以降の処理は実施形態１と同様であるため、その説明を省略する。
【０１００】
以上説明したように実施形態５によれば、調整時にテストプリントが実施されていたときは、そのテストプリントで使用した用紙の用紙情報を記憶しておく。そして、そのテストプリントで使用した用紙の用紙情報で用紙の絞り込みを行って用紙リストを表示することにより、その調整を適用できる用紙を選択して、その選択された用紙に調整値を設定することができる。
【０１０１】
［実施形態６］
次に本発明の実施形態６に係る印刷制御装置１０２の処理について、図２１の設定画面を参照して説明する。尚、実施形態６に係る画像形成装置１０１、印刷制御装置１０２、及びこれらを含む印刷システムの構成は前述の実施形態１と同じであるため、その説明を省略する。
【０１０２】
図２１は、実施形態６に係る印刷制御装置１０２により表示される設定画面の一例を示す図である。この設定画面は、ＣＰＵ３０１からの指示に従ってそのビデオメモリに描画すると共に、ビデオメモリに描画されたイメージデータをビデオ信号として表示装置１１３に出力されて表示される。図２１は、用紙管理アプリケーションが用紙の絞り込みを行う際に、どのような設定で実施するか設定する画面例を示す。
【０１０３】
用紙リストの絞り込み表示処理を行うトップ画面２１０１には、ラジオボタン２１０２，２１０３を含み、ユーザはどちらか一方を選択する。ラジオボタン２１０２が選択された場合は、実施形態２で説明した関連用紙による絞り込み機能を有効にする。またラジオボタン２１０３が選択された場合は、実施形態３で説明した用紙属性による絞り込み機能を有効にする。データフィールド２１０４は、用紙属性による絞り込みを実施した際に、どの用紙属性による絞り込みを行うか指定するのに使用される。ここで何も選択しない場合は、実施形態３で説明したとおり、各調整機能において、一番影響がある用紙属性情報を保持しておき、この属性に従って自動的に絞り込み処理を実施して用紙リストを表示する。ＯＫボタン２１０５は、この画面での設定を保存し、用紙リストの表示時の絞り込み処理にどちらを使用するかを設定することができる。キャンセルボタン２１０６は、この画面での設定をキャンセルする。
【０１０４】
以上説明したように実施形態６によれば、用紙リストを表示するときの用紙の絞り込みを、前述の実施形態２のように関連用紙に基づいて行うか、或いは実施形態３の様に、用紙の属性（例えば坪量）に基づいて行うかを選択できる。その他の効果は、前述の実施形態２〜５と同様である。
【０１０５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１０６】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【０１０７】
１０１…画像形成装置、１０２…印刷制御装置、２０１…画像形成装置のＣＰＵ、１０５…操作部、３０１…印刷制御装置のＣＰＵ、３０５…操作部
【図１】
2018109833.tif 000003
【図２】
2018109833.tif 000004
【図３】
2018109833.tif 000005
【図４】
2018109833.tif 000006
【図５】
2018109833.tif 000007
【図６】
2018109833.tif 000008
【図７】
2018109833.tif 000009
【図８】
2018109833.tif 000010
【図９】
2018109833.tif 000011
【図１０】
2018109833.tif 000012
【図１１】
2018109833.tif 000013
【図１２】
2018109833.tif 000014
【図１３】
2018109833.tif 000015
【図１４】
2018109833.tif 000016
【図１５】
2018109833.tif 000017
【図１６】
2018109833.tif 000018
【図１７】
2018109833.tif 000019
【図１８】
2018109833.tif 000020
【図１９】
2018109833.tif 000021
【図２０】
2018109833.tif 000022
【図２１】
2018109833.tif 000023